(57)【要約】【課題】入力情報が他人に不正に読み取られてしまう可能性を低減することが可能な技術を提供する。【解決手段】媒体読取装置（２４０）の媒体挿入口（５０）を開放する開放位置と媒体挿入口（５０）を閉鎖する閉鎖位置との間で移動可能なカバー部（５１）を備え、カバー部（５１）には、カバー部（５１）が閉鎖位置に存在するときに媒体挿入口（５０）に入り込む突出部（５２）が形成されている、自動取引装置（１０）が提供される。
2016143222.tif 000002
【特許請求の範囲】
【請求項１】
媒体読取装置の媒体挿入口を開放する開放位置と前記媒体挿入口を閉鎖する閉鎖位置との間で移動可能なカバー部を備え、  前記カバー部には、前記カバー部が前記閉鎖位置に存在するときに前記媒体挿入口に入り込む突出部が形成されている、  自動取引装置。
【請求項２】
前記カバー部は、傾きが可変となるように回動可能である、  請求項１に記載の自動取引装置。
【請求項３】
前記自動取引装置は、  前記カバー部が前記開放位置および前記閉鎖位置のいずれの位置に存在するかを検出する検出部を備え、  前記検出部は、前記傾きが所定の範囲内である場合に前記カバー部が前記閉鎖位置に存在することを検出し、前記傾きが前記所定の範囲外である場合に前記開放位置に存在することを検出する、  請求項２に記載の自動取引装置。
【請求項４】
前記自動取引装置は、所定のタイミングにおいて前記カバー部が前記開放位置に存在することが検出された場合には、所定の動作を実行する制御部を備える、  請求項１に記載の自動取引装置。
【請求項５】
前記制御部は、前記所定のタイミングにおいて前記カバー部が前記閉鎖位置に存在することが検出された場合には、取引を開始または継続する、  請求項４に記載の自動取引装置。
【請求項６】
前記所定の動作は、前記自動取引装置の動作停止、前記自動取引装置による取引停止、所定の情報の通知動作の少なくともいずれか一つを含む、  請求項４に記載の自動取引装置。
【請求項７】
前記所定の情報の通知動作は、表示部に前記所定の情報を表示させる動作、音声出力部に前記所定の情報を出力させる動作および他の装置に前記所定の情報を送信する動作の少なくともいずれか一つを含む、  請求項６に記載の自動取引装置。
【請求項８】
前記突出部は、前記媒体挿入口の幅と同程度の幅を有する、  請求項１に記載の自動取引装置。
【請求項９】
前記突出部は、前記媒体挿入口の厚みと同程度の厚みを有する、  請求項１に記載の自動取引装置。
【請求項１０】
媒体読取装置の媒体挿入口を開放する開放位置と前記媒体挿入口を閉鎖する閉鎖位置との間で移動可能なカバー部と、  前記カバー部が前記開放位置および前記閉鎖位置のいずれの位置に存在するかを検出する検出部と、を備え、  前記カバー部は、傾きが可変となるように回動可能である、  自動取引装置。 
【発明の詳細な説明】
【技術分野】
【０００１】  本発明は、自動取引装置に関する。
【背景技術】
【０００２】  従来、操作者によって挿入された媒体に記録されている記録データに従って自動的に取引を行う自動取引装置が知られている。しかし、この記録データが他人によって不正に読み取られてしまう被害が発生し得る。このような被害を防止すべく様々な技術が開示されている。例えば、媒体に記録されている記録データを不正に読み取るデータ読取装置を検出する技術が開示されている（例えば、特許文献１参照。）。
【先行技術文献】
【特許文献】
【０００３】
【特許文献１】特開２００７−２６５１８９号公報
【発明の概要】
【発明が解決しようとする課題】
【０００４】  しかしながら、媒体に記録されている記録データを不正に読み取るデータ読取装置をより高精度に検出する技術の提供が望まれる。
【課題を解決するための手段】
【０００５】  上記問題を解決するために、本発明のある観点によれば、媒体読取装置の媒体挿入口を開放する開放位置と前記媒体挿入口を閉鎖する閉鎖位置との間で移動可能なカバー部を備え、前記カバー部には、前記カバー部が前記閉鎖位置に存在するときに前記媒体挿入口に入り込む突出部が形成されている、自動取引装置が提供される。【０００６】  前記カバー部は、傾きが可変となるように回動可能であってよい。【０００７】  前記自動取引装置は、前記カバー部が前記開放位置および前記閉鎖位置のいずれの位置に存在するかを検出する検出部を備え、前記検出部は、前記傾きが所定の範囲内である場合に前記カバー部が前記閉鎖位置に存在することを検出し、前記傾きが前記所定の範囲外である場合に前記開放位置に存在することを検出してよい。【０００８】  前記自動取引装置は、所定のタイミングにおいて前記カバー部が前記開放位置に存在することが検出された場合には、所定の動作を実行する制御部を備えてよい。【０００９】  前記制御部は、前記所定のタイミングにおいて前記カバー部が前記閉鎖位置に存在することが検出された場合には、取引を開始または継続してよい。【００１０】  前記所定の動作は、前記自動取引装置の動作停止、前記自動取引装置による取引停止、所定の情報の通知動作の少なくともいずれか一つを含んでよい。【００１１】  前記所定の情報の通知動作は、表示部に前記所定の情報を表示させる動作、音声出力部に前記所定の情報を出力させる動作および他の装置に前記所定の情報を送信する動作の少なくともいずれか一つを含んでよい。【００１２】  前記突出部は、前記媒体挿入口の幅と同程度の幅を有してよい。【００１３】  前記突出部は、前記媒体挿入口の厚みと同程度の厚みを有してよい。【００１４】  本発明の他の観点によれば、媒体読取装置の媒体挿入口を開放する開放位置と前記媒体挿入口を閉鎖する閉鎖位置との間で移動可能なカバー部と、前記カバー部が前記開放位置および前記閉鎖位置のいずれの位置に存在するかを検出する検出部と、を備え、前記カバー部は、傾きが可変となるように回動可能である。自動取引装置が提供される。
【発明の効果】
【００１５】  以上説明したように本発明によれば、媒体に記録されている記録データを不正に読み取るデータ読取装置をより高精度に検出することが可能となる。
【図面の簡単な説明】
【００１６】
【図１】本発明の実施形態に係る自動取引装置の外観例を示す図である。
【図２】同実施形態に係る自動取引装置の筐体内部の概略構成図である。
【図３】本発明の第１の実施形態に係る媒体読取装置の外観を示す斜視図である。
【図４】同実施形態において閉鎖位置に存在するカバー部の外観を示す斜視図である。
【図５】同実施形態において開放位置に存在するカバー部の外観を示す斜視図である。
【図６】同実施形態において媒体読取装置への媒体挿入が正常に終了した例を示す図である。
【図７】同実施形態において媒体読取装置への媒体挿入が異常に終了した例を示す図である。
【図８】同実施形態においてデータ読取装置が取り付けられた偽造カバーが設置された場合を説明するための図である。
【図９】本発明の第２の実施形態において閉鎖位置に存在するカバー部の外観を示す斜視図である。
【図１０】同実施形態において開放位置に存在するカバー部の外観を示す斜視図である。
【図１１】本発明の第３の実施形態において閉鎖位置に存在するカバー部の外観を示す斜視図である。
【図１２】同実施形態において開放位置に存在するカバー部の外観を示す斜視図である。
【図１３】本発明の第４の実施形態において媒体読取装置への媒体挿入が正常に終了した例を示す図である。
【図１４】同実施形態において媒体読取装置への媒体挿入が異常に終了した例を示す図である。
【図１５】同実施形態の変形例に係る自動取引装置のうち媒体挿入口の周辺を拡大した図である。
【図１６】図１５に示したカバー部およびその周辺領域を自動取引装置の内部から観た斜視図である。
【図１７】図１６に示したＡ２−Ａ２断面図である。
【発明を実施するための形態】
【００１７】  以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１８】   また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００１９】    （０．自動取引装置の概要）  まず、本発明の実施形態に係る自動取引装置１０の概要について説明する。なお、自動取引装置１０の典型的な例としては、ＡＴＭ（Ａｕｔｏｍａｔｅｄ  ｔｅｌｌｅｒ  ｍａｃｈｉｎｅ）が挙げられるが、本発明の実施形態に係る自動取引装置１０は、かかる例に限定されない。本発明の実施形態に係る自動取引装置１０は、操作者からの入力情報を受け付ける操作部を有する装置であればよい。また、自動取引装置１０が設置される場所も限定されず、コンビニエンスストアであってもよいし、銀行の店舗であってもよい。
【００２０】  図１は、本発明の実施形態に係る自動取引装置１０の外観例を示す図である。図１に示すように、自動取引装置１０は、フロントパネル２０と、背面ミラー３０と、操作パネル４０と、媒体挿入口５０と、レシート排出口６０と、操作部７０と、紙幣投入口８０とを備える。また、図１に示すように、自動取引装置１０は、認証部９１と、バーコードリーダ９２と、非接触ＩＣカードリーダ１００と、前面扉１１０と、金庫部１２０とを備える。
【００２１】  フロントパネル２０は、自動取引装置１０のフロント面に存在するパネルである。フロントパネル２０の左右に形成されている壁によって他人に操作部７０が見られるのを防止することが可能である。背面ミラー３０は、操作者の背後に立つ他人の状況を操作者が確認するためのミラーである。背面ミラー３０には、操作者の背後に立つ他人の状況を撮像して記録する監視カメラが設けられていてもよい。操作パネル４０は、タッチパネルおよび表示部を有している。表示部は、ＬＣＤ（Ｌｉｑｕｉｄ  Ｃｒｙｓｔａｌ  Ｄｉｓｐｌａｙ）であってよい。
【００２２】  媒体挿入口５０には、操作者から媒体が挿入される。また、媒体挿入口５０からは、操作者に媒体が排出される。ここで、媒体の種類は特に限定されない。例えば、媒体は、カードであってもよいし、通帳であってもよい。また、媒体には、媒体読取装置２４０によって読み取られるデータ（例えば、磁気データなど）が記録されている。媒体に記録されているデータは、操作者に関する情報（例えば、銀行コード、店舗コード、口座番号など）を含んでよい。
【００２３】  レシート排出口６０からは、取引明細票としてのレシートが排出される。操作部７０は、取引に関する情報の入力を操作者から受け付ける機能を有する。例えば、操作部７０は、暗証情報の入力を操作者から受け付けるピンパッドであってよい。紙幣投入口８０には、操作者から紙幣が投入される。また、紙幣投入口８０からは、操作者に紙幣を排出される。認証部９１は、操作者の生体情報に対する認証を行う機能を有する。操作者の生体情報は、指の静脈であってもよいし、掌の静脈であってもよい。
【００２４】  バーコードリーダ９２は、バーコードを読み取る機能を有する。非接触ＩＣカードリーダ１００は、非接触ＩＣカードに記録されたデータを読み取る機能を有する。前面扉１１０は、自動取引装置１０のフロント面に存在する扉である。前面扉１１０が開いている状態においては、自動取引装置１０の外部から金庫部１２０へのアクセスが可能である。一方、前面扉１１０が閉まっている状態においては、自動取引装置１０の外部から金庫部１２０へのアクセスが不可能である。金庫部１２０は、紙幣を格納する機能を有する。
【００２５】  図２は、本発明の実施形態に係る自動取引装置１０の筐体内部の概略構成図である。図２に示すように、自動取引装置１０は、制御部２１０と、ＵＰＳ（Ｕｎｉｎｔｅｒｒｕｐｔｉｂｌｅ  Ｐｏｗｅｒ  Ｓｕｐｐｌｙ）２２０と、電源部２３０と、媒体読取装置２４０と、レシートプリンタ２５０と、ジャーナルプリンタ２６０とを筐体内部に備える。また、図２に示すように、自動取引装置１０は、紙幣処理部２７０と金庫部１２０（カセット収納部２８０、カセット２９０および金庫扉３００）とを備える。
【００２６】  制御部２１０は、自動取引装置１０が有する各部の動作を制御する機能を有する。例えば、制御部２１０は、演算装置を含んでおり、記憶装置によって記憶されているプログラムが演算装置によって実行されることによってその機能が実現され得る。演算装置は、ＣＰＵ（Ｃｅｎｔｒａｌ  Ｐｒｏｃｅｓｓｉｎｇ  Ｕｎｉｔ）であってもよい。また、制御部２１０は、専用のハードウェアによって構成されていてもよい。
【００２７】  ＵＰＳ２２０は、電力を蓄積する機能を有し、電源部２３０から自動取引装置１０が有する各部への電力供給が途絶えた場合に、自動取引装置１０が有する各部に電力を供給することが可能である。電源部２３０は、自動取引装置１０が有する各部に電力を供給する機能を有する。媒体読取装置２４０は、媒体挿入口５０から挿入された媒体に記録されているデータを読み取る機能を有する。
【００２８】  レシートプリンタ２５０は、取引明細票としてのレシートを発行する機能を有する。レシートには、自動取引装置１０によって実行された取引種別（例えば、現金の引き出し、現金の預け入れ、振り込みなど）が印刷される。また、例えば、レシートには、操作者の口座番号、取引金額などが印刷される。ジャーナルプリンタ２６０は、レシートプリンタ２５０とほぼ同内容を紙に印刷する機能を有し、取引の事実を証拠として記録する機能を有している。
【００２９】  紙幣処理部２７０は、操作者から投入された紙幣およびカセット２９０から取り出された紙幣を処理する機能を有する。カセット収納部２８０は、カセットを収納する機能を有する。カセット２９０は、紙幣を収納する機能を有する。金庫扉３００は、金庫部１２０のフロント面に存在する扉である。金庫扉３００が開いている状態においては、カセット収納部２８０およびカセット２９０へのアクセスが可能である。一方、金庫扉３００が閉まっている状態においては、カセット収納部２８０およびカセット２９０へのアクセスが不可能である。
【００３０】  図２に示すように、フロントパネル２０は、開方向Ｄ１に回動し得る。フロントパネル２０が開方向Ｄ１に回動すると、自動取引装置１０の外部から、制御部２１０、ＵＰＳ２２０、電源部２３０、媒体読取装置２４０、レシートプリンタ２５０およびジャーナルプリンタ２６０にアクセス可能となる。また、媒体読取装置２４０のトレイは、引き出し方向Ｄ２に引き出され得る。紙幣処理部２７０のトレイは、引き出し方向Ｄ３に引き出され得る。
【００３１】  前面扉１１０は、開方向Ｄ４に回動し得る。前面扉１１０が開方向Ｄ４に回動すると、自動取引装置１０の外部から、紙幣処理部２７０および金庫部１２０にアクセス可能となる。金庫扉３００は、開方向Ｄ５に回動し得る。金庫扉３００が開方向Ｄ５に回動すると、自動取引装置１０の外部から、カセット収納部２８０およびカセット２９０にアクセス可能となる。カセット収納部２８０およびカセット２９０は、引き出し方向Ｄ６に引き出され得る。
【００３２】  ここで、操作者によって挿入された媒体に記録されている記録データが他人によって不正に読み取られてしまう被害が発生し得る。そこで、本明細書においては、媒体に記録されている記録データを不正に読み取るデータ読取装置をより高精度に検出する技術について主に提案する。以上、本発明の実施形態に係る自動取引装置１０の概要について説明した。
【００３３】    （１．第１の実施形態の説明）  続いて、図３〜図８を参照しながら、本発明の第１の実施形態について説明する。図３は、媒体読取装置２４０の外観を示す斜視図である。図３に示すように、媒体読取装置２４０は、媒体が挿入される媒体挿入口５０を有している。また、図３には、媒体挿入口５０の幅Ｗｈ、媒体挿入口５０の手前側の厚みＴｈ１、媒体挿入口５０の奥側の厚みＴｈ２がそれぞれ示されている。
【００３４】  本発明の第１の実施形態に係る自動取引装置１０は、媒体読取装置２４０の媒体挿入口５０を開放する開放位置と媒体挿入口５０を閉鎖する閉鎖位置との間で移動可能なカバー部５１を有する。以下の説明において、開放位置に存在するカバー部５１を特に「カバー部５１Ａ」と示し、開放位置から媒体読取装置２４０に近づいた位置に存在するカバー部５１を特に「カバー部５１Ｂ」と示すことがある。カバー部５１Ａおよびカバー部５１Ｂを特に区別しない場合には、カバー部５１と記載する。
【００３５】  図４は、閉鎖位置に存在するカバー部５１Ｂの外観を示す斜視図である。また、図５は、開放位置に存在するカバー部５１Ａの外観を示す斜視図である。図６は、媒体読取装置２４０への媒体挿入が正常に終了した例を示す図である。図６に示すように、カバー部５１は、傾きが可変となるように支軸５３を中心に回動可能となっており、操作体Ｈがカバー部５１に（例えば、カバー部５１を持ち上げるように）押圧を与えて（または媒体読取装置２４０による媒体挿入の受け付け開始時に自動的に）カバー部５１を回動させることによってカバー部５１が開放位置（カバー部５１Ａの位置）に配置される。なお、カバー部５１の操作部７０に対する傾きは、操作部７０の上面に対するカバー部５１の奥行方向への傾きであってよい。
【００３６】  また、図６に示すように、カバー部５１には、突出部５２が形成されている。突出部５２は、カバー部５１が閉鎖位置（カバー部５１Ｂの位置）に存在するときに媒体挿入口５０に入り込むように形成されている。以下の説明において、「カバー部５１Ａ」に形成される突出部５２を「突出部５２Ａ」と示し、「カバー部５１Ｂ」に形成される突出部５２を「突出部５２Ｂ」と示すことがある。突出部５２Ａおよび突出部５２Ｂを特に区別しない場合には、突出部５２と記載する。なお、開放位置と閉鎖位置との境界は、特に限定されない。以下の説明では、媒体挿入口５０に最も近づいたカバー部５１の位置（図６）からその位置を基準として所定の角度（例えば、４〜５度）だけ開いたカバー部５１の位置までをカバー部５１の閉鎖位置とする。一方、所定の角度を超えて開いたカバー部５１の位置をカバー部５１の開放位置とする。
【００３７】  上記のようにして、カバー部５１が開放位置に配置された後、媒体読取装置２４０への媒体の挿入が終了し、カバー部５１が閉鎖位置に配置されるように操作体Ｈが（または媒体読取装置２４０による媒体挿入の受け付け終了時に自動的に）カバー部５１を移動させる。より具体的には、操作体Ｈがカバー部５１に与えていた押圧を解除して（または媒体読取装置２４０による媒体挿入の受け付け終了時に自動的に）カバー部５１を回動させることによってカバー部５１が閉鎖位置（カバー部５１Ｂの位置）に配置される。
【００３８】  一方、図７は、媒体読取装置２４０への媒体挿入が異常に終了した例を示す図である。図７に示すように、媒体挿入口５０に媒体に記録された記録データを不正に読み取るデータ読取装置Ｒｅが取り付けられていることがある。より具体的には、操作体Ｈがデータ読取装置Ｒｅを媒体挿入口５０に取り付けてから、カバー部５１に与えていた押圧を解除して（または媒体読取装置２４０による媒体挿入の受け付け終了時に自動的に）カバー部５１を回動させる。しかし、データ読取装置Ｒｅが突出部５２の媒体挿入口５０に入り込むことを妨げるため、カバー部５１が開放位置に配置される。
【００３９】  以上のようにして、カバー部５１は、媒体挿入口５０を開放する開放位置と媒体挿入口５０を閉鎖する閉鎖位置との間で移動可能である。そして、検出部５７Ｘは、カバー部５１が開放位置および閉鎖位置のいずれの位置に存在するかを検出する。かかる構成によれば、データ読取装置Ｒｅを媒体挿入口５０に取り付けることによって媒体に記録された記録データを不正に読み取る犯罪を抑制することが期待される。
【００４０】  カバー部５１がどのような場合に開放位置に存在すると検出され、どのような場合に閉鎖位置に存在すると検出されるかは限定されない。一例として、検出部５７Ｘは、カバー部５１の傾きが所定の範囲内である場合にカバー部５１が閉鎖位置に存在することを検出し、カバー部５１の傾きが所定の範囲外である場合に開放位置に存在することを検出してよい。カバー部５１の傾きが所定の角度と等しい場合、開放位置および閉鎖位置のいずれに存在すると検出されてもよい。
【００４１】  かかる機能を実現するため、検出部５７Ｘは、どのようなハードウェアによって実現されてもよいが、本発明の第１の実施形態においては、検出部５７Ｘがマイクロスイッチを含む場合を想定する。例えば、カバー部５１の傾きが所定の範囲内である場合に、カバー部５１Ｂによって押下されるように検出部５７Ｘが設けられていてもよい（図４参照）。このとき、カバー部５１の傾きが所定の範囲外である場合に、カバー部５１Ｂによって押下されないように検出部５７Ｘが設けられていてもよい（図５参照）。
【００４２】  以上に説明したような機能を検出部５７Ｘが有することによって、カバー部５１と媒体挿入口５０との間に物体が存在しない場合には、カバー部５１が閉鎖位置に存在し得る。一方、カバー部５１と媒体挿入口５０との間に物体が存在する場合には、カバー部５１が開放位置に存在し得る。上記した例では、操作体Ｈ、データ読取装置Ｒｅなどが、カバー部５１と検出部５７Ｘとの間に存在する物体となり得る。
【００４３】  ここで、所定のタイミングにおいて、カバー部５１が開放位置に存在することが検出された場合には、所定の動作がなされてもよい。すなわち、制御部２１０は、所定のタイミングにおいてカバー部５１が開放位置に存在することが検出された場合には、所定の動作を実行してもよい。所定のタイミングは特に限定されないが、少なくとも取引開始時、取引終了時、媒体読取装置２４０による媒体挿入の受け付け開始時および媒体読取装置２４０による媒体挿入の受け付け終了時のいずれか一つを含んでもよい。また、所定のタイミングは、取引開始前、媒体引き込み処理中およびカード抜き取り処理中のいずれか一つを含んでもよい。あるいは、所定のタイミングにおいて、カバー部５１が数秒を超えて開放位置に存在することが検出された場合に、所定の動作がなされてもよい。
【００４４】  所定の動作も特に限定されないが、自動取引装置１０の動作停止、自動取引装置１０による取引停止、所定の情報の通知動作の少なくともいずれか一つを含んでもよい。所定の情報の通知動作も特に限定されないが、操作パネル４０に所定の情報（例えば、操作部７０の確認を促すメッセージなど）を表示させる動作、図示しない音声出力部に所定の情報（例えば、操作部７０の確認を促す音声ガイダンスなど）を出力させる動作および他の装置（例えば、サーバなど）に所定の情報（例えば、障害発生を報告する旨を示すデータなど）を送信する動作の少なくともいずれか一つを含んでもよい。
【００４５】  一方、所定のタイミングにおいて、カバー部５１が閉鎖位置に存在することが検出された場合には、所定の動作はなされなくてよい。すなわち、制御部２１０は、所定のタイミングにおいてカバー部５１が閉鎖位置に存在することが検出された場合には、取引を開始または継続してよい。これによって、操作者は、正常に操作部７０に対して操作を行った場合、自動取引装置１０に対して、引き続き取引を実行させることが可能となる。
【００４６】  なお、上記では、データ読取装置Ｒｅが検出される例について説明したが、他にも様々な事象が検出され得る。例えば、制御部２１０は、カバー部５１の破損（カバー部５１の取り外しも含む。以下も同様。）または検出部５７Ｘの故障を検出した場合に、所定の動作をしてもよい。ここで、カバー部５１の破損または検出部５７Ｘの故障の検出手法は特に限定されない。一例として、カバー部５１の破損または検出部５７Ｘの故障が生じた場合には、カバー部５１Ａによって検出部５７Ｘが押下されないことが想定される。そこで、制御部２１０は、取引開始前および処理中のいずれかにおいて、カバー部５１Ａによって検出部５７Ｘが押下されない場合に、カバー部５１の破損または検出部５７Ｘの故障が生じたと判断してよい。
【００４７】  なお、突出部５２は、媒体挿入口５０の幅Ｗｈ（図３参照）と同程度の幅Ｗｈ’（図４参照）を有しているのがよい。そうすれば、媒体挿入口５０に取り付けられたデータ読取装置Ｒｅと突出部５２とが衝突する可能性を向上させることが可能であるため、より高精度にデータ読取装置Ｒｅを検出することが可能となる。また、突出部５２は、媒体挿入口５０の厚みと同程度の厚みを有しているのがよい。そうすれば、同様に、より高精度にデータ読取装置Ｒｅを検出することが可能となる。突出部５２は、カバー部５１が閉鎖位置に存在するときに、媒体の磁気ストライプの通過位置に達するような位置に形成されていればよい。
【００４８】  また、図４に示すように、突出部５２の厚みが先端側と根元側とで異なる場合も想定される。かかる場合には、突出部５２は、媒体挿入口５０の奥側の厚みＴｈ１（図３参照）と同程度の先端側の厚みＴｈ１’（図４参照）を有しているのがよい。また、突出部５２は、媒体挿入口５０の手前側の厚みＴｈ２（図３参照）と同程度の根元側の厚みＴｈ２’（図４参照）を有しているのがよい。
【００４９】  図８は、データ読取装置Ｒｅが取り付けられた偽造カバーＣｖが設置された場合を説明するための図である。図８に示すように、カバー部５１の手前に偽造カバーＣｖが設置された場合には、開放位置へのカバー部５１の回動が偽造カバーＣｖによって妨げられる。したがって、偽造カバーＣｖが設置された場合には、媒体読取装置２４０に媒体が挿入され得ない。また、カバー部５１が取り外されてしまったとしても、閉鎖位置に存在するカバー部５１が検出され得ないため、正常な取引は実行され得ない。
【００５０】  以上、本発明の第１の実施形態について説明した。
【００５１】  （２．第２の実施形態の説明）  続いて、本発明の第２の実施形態について説明する。本発明の第２の実施形態の説明において、本発明の第２の実施形態に係る構成のうち、本発明の第１の実施形態に係る構成と共通する構成に対しては、本発明の第１の実施形態に係る構成に付された符号と同一の符号を付し、かかる構成についての詳細な説明を省略する。本発明の第２の実施形態に係る自動取引装置１０は、図９および図１０に示すように、検出部５７Ｘの代わりに、検出部５７Ｙ−１および５７Ｙ−２を備える。
【００５２】  図９は、閉鎖位置に存在するカバー部５１Ｂの外観を示す斜視図である。また、図１０は、開放位置に存在するカバー部５１Ａの外観を示す斜視図である。本発明の第２の実施形態においては、検出部５７Ｙ−１が発光部であり、検出部５７Ｙ−２が光学センサを含む場合を想定する。例えば、カバー部５１の傾きが所定の範囲内である場合に、検出部５７Ｙ−１から検出部５７Ｙ−２に向けて発せられた光に対するカバー部５１Ｂによる遮光が検出部５７Ｙ−２によって検出されていてもよい（図９参照）。また、カバー部５１の傾きが所定の範囲外である場合に、カバー部５１Ａによる遮光の解除が検出部５７Ｙ−２によって検出されていてもよい（図１０参照）。
【００５３】  なお、制御部２１０は、カバー部５１の破損を検出した場合に、所定の動作をしてもよい。ここで、カバー部５１の破損の検出手法は特に限定されない。一例として、カバー部５１が破損した場合には、カバー部５１による遮光が検出部５７Ｙ−２によって検出されないことが想定される。そこで、制御部２１０は、操作部７０による入力情報の受け付けが開始されても、検出部５７Ｙ−２によってカバー部５１Ｂによる遮光が検出されない場合に、カバー部５１が破損したと判断してよい。
【００５４】  また、例えば、制御部２１０は、検出部５７Ｙ−１または検出部５７Ｙ−２の故障を検出した場合に、所定の動作をしてもよい。ここで、検出部５７Ｙ−１または検出部５７Ｙ−２の故障の検出手法は特に限定されない。一例として、検出部５７Ｙ−１または検出部５７Ｙ−２が故障した場合には、カバー部５１Ａによる遮光の解除が検出されないことが想定される。そこで、制御部２１０は、取引開始前および処理中のいずれかにおいて、検出部５７Ｙ−２によってカバー部５１Ａによる遮光の解除が検出されない場合に、検出部５７Ｙ−２が故障したと判断してよい。
【００５５】  以上、本発明の第２の実施形態について説明した。
【００５６】  （３．第３の実施形態の説明）  続いて、本発明の第３の実施形態について説明する。本発明の第３の実施形態の説明において、本発明の第３の実施形態に係る構成のうち、本発明の第２の実施形態に係る構成と共通する構成に対しては、本発明の第２の実施形態に係る構成に付された符号と同一の符号を付し、かかる構成についての詳細な説明を省略する。本発明の第３の実施形態に係る自動取引装置１０は、図１１および図１２に示すように、検出部５７Ｙ−１および５７Ｙ−２の代わりに、検出部５７Ｚ−１および５７Ｚ−２を備える。
【００５７】  また、本発明の第３の実施形態に係る自動取引装置１０は、図１１および図１２に示すように、突出部５２Ａおよび突出部５２Ｂの代わりに、突出部５２Ａ’および突出部５２Ｂ’を備える。突出部５２Ａ’および突出部５２Ｂ’は、反射面Ｒｆを除いて透光性を有している。反射面Ｒｆに照射された光は、光が照射された方向とは異なる方向に反射される。図１１は、閉鎖位置に存在するカバー部５１Ｂの外観を示す斜視図である。また、図１２は、開放位置に存在するカバー部５１Ａの外観を示す斜視図である。
【００５８】  本発明の第３の実施形態においては、検出部５７Ｚ−１が発光部であり、検出部５７Ｚ−２が光学センサを含む場合を想定する。例えば、カバー部５１の傾きが所定の範囲内である場合に、検出部５７Ｚ−１から発せられた光の反射面Ｒｆにおける反射が検出部５７Ｚ−２によって検出されていてもよい（図１１参照）。また、カバー部５１の傾きが所定の範囲外である場合に、検出部５７Ｚ−１から発せられた光の反射面Ｒｆにおける反射の解除が検出部５７Ｙ−２によって検出されていてもよい（図１２参照）。
【００５９】  なお、制御部２１０は、カバー部５１の破損、検出部５７Ｚ−１の故障または検出部５７Ｚ−２の故障を検出した場合に、所定の動作をしてもよい。ここで、カバー部５１の破損、検出部５７Ｚ−１の故障または検出部５７Ｚ−２の故障の検出手法は特に限定されない。一例として、カバー部５１の破損、検出部５７Ｚ−１の故障または検出部５７Ｚ−２の故障が生じた場合には、反射面Ｒｆにおける光の反射が検出部５７Ｚ−２によって検出されないことが想定される。そこで、制御部２１０は、取引開始前または処理中であっても、反射面Ｒｆにおける光の反射が検出部５７Ｚ−２によって検出されない場合に、カバー部５１の破損、検出部５７Ｚ−１の故障または検出部５７Ｚ−２の故障が生じたと判断してよい。
【００６０】  以上、本発明の第３の実施形態について説明した。
【００６１】    （４．第４の実施形態の説明）  続いて、本発明の第４の実施形態について説明する。本発明の第４の実施形態の説明において、本発明の第４の実施形態に係る構成のうち、本発明の第１の実施形態に係る構成と共通する構成に対しては、本発明の第１の実施形態に係る構成に付された符号と同一の符号を付し、かかる構成についての詳細な説明を省略する。図１３は、媒体読取装置２４０への媒体挿入が正常に終了した例を示す図である。
【００６２】  図１３に示すように、本発明の第４の実施形態に係る自動取引装置１０も、媒体読取装置２４０の媒体挿入口５０を開放する開放位置と媒体挿入口５０を閉鎖する閉鎖位置との間で移動可能なカバー部５１を有する。以下の説明において、開放位置に存在するカバー部５１を特に「カバー部５１ａ」と示し、開放位置から媒体読取装置２４０に近づいた位置に存在するカバー部５１を特に「カバー部５１ｂ」と示すことがある。カバー部５１ａおよびカバー部５１ｂを特に区別しない場合には、カバー部５１と記載する。
【００６３】  図１３に示すように、カバー部５１は、傾きが可変となるように支軸５３を中心に回動可能となっており、操作体Ｈがカバー部５１に（例えば、カバー部５１を持ち上げるように）押圧を与えて（または媒体読取装置２４０による媒体挿入の受け付け開始時に自動的に）カバー部５１を回動させることによってカバー部５１が開放位置（カバー部５１ａの位置）に配置される。
【００６４】  ここで、本発明の第４の実施形態においては、図１３に示すように、カバー部５１に突出部が形成されていない。上記のようにして、カバー部５１が開放位置に配置された後、媒体読取装置２４０への媒体の挿入が終了し、カバー部５１が閉鎖位置に配置されるように操作体Ｈが（または媒体読取装置２４０による媒体挿入の受け付け終了時に自動的に）カバー部５１を移動させる。より具体的には、操作体Ｈがカバー部５１に与えていた押圧を解除して（または媒体読取装置２４０による媒体挿入の受け付け終了時に自動的に）カバー部５１を回動させることによってカバー部５１が閉鎖位置（カバー部５１ｂの位置）に配置される。
【００６５】  一方、図１４は、媒体読取装置２４０への媒体挿入が異常に終了した例を示す図である。図１４に示すように、媒体に記録された記録データを不正に読み取るデータ読取装置Ｒｅが自動取引装置１０の筐体１５に取り付けられていることがある。より具体的には、操作体Ｈがデータ読取装置Ｒｅを筐体１５に取り付けてから、カバー部５１に与えていた押圧を解除して（または媒体読取装置２４０による媒体挿入の受け付け終了時に自動的に）カバー部５１を回動させる。しかし、データ読取装置Ｒｅがカバー部５１が閉鎖位置に配置されるのを妨げるため、カバー部５１が開放位置に配置される。
【００６６】  以上のようにして、カバー部５１は、媒体挿入口５０を開放する開放位置と媒体挿入口５０を閉鎖する閉鎖位置との間で移動可能である。そして、検出部５７Ｘは、カバー部５１が開放位置および閉鎖位置のいずれの位置に存在するかを検出する。かかる構成によれば、カバー部５１に突出部が形成されていなくても、データ読取装置Ｒｅを筐体１５に取り付けることによって媒体に記録された記録データを不正に読み取る犯罪を抑制することが期待される。
【００６７】  カバー部５１がどのような場合に開放位置に存在すると検出され、どのような場合に閉鎖位置に存在すると検出されるかは、既に本発明の第１の実施形態において説明した通りに限定されない。また、検出部５７の種類も特に限定されない。したがって、図１３および図１４に示した例では、本発明の第１の実施形態に係る検出部５７Ｘが用いられているが、本発明の第２の実施形態に係る検出部５７Ｙ−１および５７Ｙ−２が用いられてもよいし、本発明の第２の実施形態に係る検出部５７Ｚ−１および５７Ｚ−２が用いられてもよい。
【００６８】  以上、添付図面を参照しながら本発明の好適な実施形態について詳細に説明したが、本発明はかかる例に限定されない。本発明の属する技術の分野における通常の知識を有する者であれば、請求の範囲に記載された技術的思想の範疇内において、各種の変更例または修正例に想到し得ることは明らかであり、これらについても、当然に本発明の技術的範囲に属するものと了解される。
【００６９】  例えば、上記では、媒体読取装置２４０に挿入される媒体の記録データが他人に不正に読み取られてしまう可能性を低減する技術を主に説明した。媒体の記録データが他人に不正に読み取られてしまった場合には、不正に読み取られた媒体の記録データは、操作部７０への入力情報と合わせて、自動取引装置１０から現金を勝手に引き落とすスキミングにも利用され得る。本発明の第１の実施形態から本発明の第４の実施形態によれば、このようなスキミングによる被害を防止することも期待される。
【００７０】  また、例えば、上記では、カバー部５１が回動可能に構成されている例を説明した。しかし、カバー部５１は回動可能に構成されていなくてもよい。例えば、カバー部５１は、媒体読取装置２４０の媒体挿入口５０を開放する開放位置と媒体挿入口５０を閉鎖する閉鎖位置との間で移動可能であればよい。より詳細には、カバー部５１は、自動取引装置１０の前後方向に移動可能であってもよいし、自動取引装置１０の上下方向に移動可能であってもよい。
【００７１】  また、上記では、カバー部５１の上端を支軸５３としてカバー部５１が回動可能である例について説明した。しかし、カバー部５１の支軸５３は、カバー部５１の上端に限定されない。例えば、カバー部５１の支軸５３は、カバー部５１の下端であってもよい。かかる変形例について説明する。図１５は、本発明の実施形態の変形例に係る自動取引装置のうち媒体挿入口５０の周辺を拡大した図である。図１５に示したように、本発明の実施形態の変形例では、カバー部５１♯の支軸５３がカバー部５１♯の下端に位置している。カバー部５１♯は、手前側に回動することによって、媒体挿入口５０を開放する開放位置に配置される。一方、カバー部５１♯は、奥側に回動することによって、媒体挿入口５０を閉鎖する閉鎖位置に配置される。また、カバー部５１♯には、顧客によって容易に手前側に回動されるように、顧客によって把持される把持部５４が設けられている。
【００７２】  図１６は、図１５に示した領域Ａ１（カバー部５１♯およびその周辺領域）を自動取引装置１０の内部から観た斜視図である。図１６に示すように、カバー部５１♯は、上側カバー部５１♯ａと下側カバー部５１♯ｂとを有している。また、支軸５３には、トーションスプリング５５ａ，５５ｂが設けられており、上側カバー部５１♯ａは、トーションスプリング５５ａによって上側カバー部５１♯ａの閉鎖方向（方向Ｄ１）に付勢されている。また、下側カバー部５１♯ｂは、トーションスプリング５５ｂによって上側カバー部５１♯ａの閉鎖方向（方向Ｄ１）と逆方向（方向Ｄ２）に付勢されている。
【００７３】  図１６に示すように、カバー５１♯には、突出部５２♯が形成されている。突出部５２♯は、カバー部５１♯が閉鎖位置に存在するときに媒体挿入口５０に入り込むように形成されている。検出部５７Ｗは、カバー部５１♯が開放位置および閉鎖位置のいずれの位置に存在するかを検出する。ここでは、第２の実施形態と同様に、検出部５７Ｗが光学センサを含む場合を想定する。しかし、検出部５７Ｗは、光学センサの代わりに、マイクロスイッチを含んでもよい。また、検出部５７Ｗは、カバー部５１♯の下に設置され、上方を向くように設置されている。
【００７４】  図１７は、図１６に示したＡ２−Ａ２断面図である。この断面図においては、下側カバー部５１♯ｂが、第１の下側カバー部５１♯ｂ−１、第２の下側カバー部５１♯ｂ−２および第３の下側カバー部５１♯ｂ−３の３つに分かれている。顧客が把持部５４を把持して上側カバー部５１♯ａを開放方向（方向Ｄ１と逆方向）に回動させようとすると、第２の下側カバー部５１♯ｂ−２が上側カバー部５１♯ａから押圧を受けて、第１の下側カバー部５１♯ｂ−１、第２の下側カバー部５１♯ｂ−２および第３の下側カバー部５１♯ｂ−３は、方向Ｄ２と逆方向に回動する。
【００７５】  カバー部５１♯が、媒体挿入口５０に最も近づいた位置からその位置を基準として所定の角度ＲＶ（例えば、４〜５度）だけ方向Ｄ２と逆方向に回動した位置（図１７）までに存在するときには、検出部５７Ｗによって第３の下側カバー部５１♯ｂ−３による遮光が検出される。このとき、カバー部５１♯は閉鎖位置に存在するとして検出される。一方、カバー部５１♯が、所定の角度ＲＶを超えて方向Ｄ２と逆方向に回動した位置に存在するときには、検出部５７Ｗによって第３の下側カバー部５１♯ｂ−３による遮光が検出されない。このとき、カバー部５１♯は開放位置に存在するとして検出される。
【００７６】  また、上記では、自動取引装置１０が、カバー部５１が開放位置および閉鎖位置のいずれの位置に存在するかを検出する検出部５７を備える例を説明した。しかし、自動取引装置１０は、検出部５７を備えていなくてもよい。このように、自動取引装置１０が検出部５７を備えていない場合であっても、カバー部５１が閉鎖位置に存在しないことを操作者が目視によって発見することによって、自動取引装置１０に取り付けられた不正デバイスを検出することが可能である。
【符号の説明】
【００７７】  １０    自動取引装置  ２０    フロントパネル  ３０    背面ミラー  ４０    操作パネル  ５０    媒体挿入口  ５１（５１Ａ、５１Ｂ、５１ａ、５１ｂ）  カバー部  ５２（５２Ａ、５２Ｂ、５２Ａ’、５２Ｂ’）  突出部  ５３    支軸  ５７（５７Ｘ、５７Ｙ−１、５７Ｙ−２、５７Ｚ−１、５７Ｚ−２）  検出部  ６０    レシート排出口  ７０    操作部  ８０    紙幣投入口  ９１    認証部  ９２    バーコードリーダ  １００  非接触ＩＣカードリーダ  １１０  前面扉  １２０  金庫部  ２１０  制御部  ２２０  ＵＰＳ  ２３０  電源部  ２４０  媒体読取装置  ２５０  レシートプリンタ  ２６０  ジャーナルプリンタ  ２７０  紙幣処理部  ２８０  カセット収納部  ２９０  カセット  ３００  金庫扉  Ｒｆ    反射面
【図１】
2016143222.tif 000003
【図２】
2016143222.tif 000004
【図３】
2016143222.tif 000005
【図４】
2016143222.tif 000006
【図５】
2016143222.tif 000007
【図６】
2016143222.tif 000008
【図７】
2016143222.tif 000009
【図８】
2016143222.tif 000010
【図９】
2016143222.tif 000011
【図１０】
2016143222.tif 000012
【図１１】
2016143222.tif 000013
【図１２】
2016143222.tif 000014
【図１３】
2016143222.tif 000015
【図１４】
2016143222.tif 000016
【図１５】
2016143222.tif 000017
【図１６】
2016143222.tif 000018
【図１７】
2016143222.tif 000019
【国際調査報告】
2016143222.tif 000020
2016143222.tif 000021
2016143222.tif 000022
2016143222.tif 000023